(57)【特許請求の範囲】
【請求項１】
天板に開口が設けられており、前記開口内にバーナヘッドをバーナ本体上にセットしてなるこんろバーナが露出した状態で設置されているとともに、前記こんろバーナによって加熱される調理容器を載置するための五徳が前記こんろバーナを囲むように前記天板上に設置されたこんろであって、
前記天板と前記こんろバーナとを、前記天板と連結するための天板連結部、及び前記こんろバーナに固定される固定部を有する金属製の連結部材を介して、前記バーナ本体を平面視で挟む位置を含んだ複数箇所で連結する一方、
前記連結部材を、前記天板と平行な面内で前記バーナ本体を跨ぐようなＵ字状に形成し、さらに前記連結部材の周縁部を折り曲げ成形するとともに、
前記バーナ本体の外周に鍔状のフランジ部を形成し、該フランジ部に前記連結部材の固定部を固定可能な被固定部を設けたことを特徴とするこんろ。
【請求項２】
前記連結部材では、前記固定部をＵ字状部から突設した舌片に設けており、前記バーナ本体に固定した状態において、前記Ｕ字状部を前記バーナ本体から離隔させることを特徴とする請求項１に記載のこんろ。
【請求項３】
前記天板に、前記五徳を位置決めするための位置決め部を設け、その位置決め部の近傍で前記天板と前記こんろバーナとを連結したことを特徴とする請求項１又は２に記載のこんろ。
【発明の詳細な説明】
【技術分野】
【０００１】
本発明は、天板に開設された開口内にこんろバーナを露出させるとともに、該こんろバーナを囲むように五徳を設置してなるこんろに関するものである。
【背景技術】
【０００２】
従来、一般的なこんろとしては、たとえば特許文献１に記載のものがある。これは、天板に開設した開口内にこんろバーナを露出させるとともに、該こんろバーナを囲むように五徳を天板上に設置してなるものである。このようなこんろにおいては、バーナヘッドと五徳上に載置される調理鍋等の調理容器の底面との距離、すなわちバーナヘッドと五徳の頂点との距離が狭くなると、火炎が底面に直接当たるため熱効率は向上するものの、二次空気の取り込みが不十分となり燃焼性が低下する。一方、距離が離れすぎると、逆に燃焼性は向上するものの熱効率が低下するという問題がある。そこで、熱効率及び燃焼性が共に最適となるよう、設計の段階で五徳の高さを決定していた。
【先行技術文献】
【特許文献】
【０００３】
【特許文献１】特開２００５−１７２２７９号公報
【発明の概要】
【発明が解決しようとする課題】
【０００４】
しかしながら、製造時において天板の開口周辺に撓みが生じることがある。また、調理時等におけるこんろバーナの燃焼により、天板に熱による歪みが生じることも考えられる。すると、これら撓みや歪みといった天板の変形により、バーナヘッドと五徳の頂点との距離が設計により求めた最適な距離とはならず、熱効率や燃焼性が悪化するという問題がある。
【０００５】
そこで、本発明は、上記問題に鑑みなされたものであって、たとえ天板が変形したとしてもバーナヘッドと五徳の頂点との距離を最適な距離に維持することができ、熱効率や燃焼性の安定したこんろを提供しようとするものである。
【課題を解決するための手段】
【０００６】
上記目的を達成するために、本発明のうち請求項１に記載の発明は、天板に開口が設けられており、前記開口内にバーナヘッドをバーナ本体上にセットしてなるこんろバーナが露出した状態で設置されているとともに、前記こんろバーナによって加熱される調理容器を載置するための五徳が前記こんろバーナを囲むように前記天板上に設置されたこんろであって、前記天板と前記こんろバーナとを、前記天板と連結するための天板連結部、及び前記こんろバーナに固定される固定部を有する金属製の連結部材を介して、前記バーナ本体を平面視で挟む位置を含んだ複数箇所で連結する一方、前記連結部材を、前記天板と平行な面内で前記バーナ本体を跨ぐようなＵ字状に形成し、さらに前記連結部材の周縁部を折り曲げ成形するとともに、前記バーナ本体の外周に鍔状のフランジ部を形成し、該フランジ部に前記連結部材の固定部を固定可能な被固定部を設けたことを特徴とする。
請求項２に記載の発明は、請求項１に記載の発明において、前記連結部材では、前記固定部をＵ字状部から突設した舌片に設けており、前記バーナ本体に固定した状態において、前記Ｕ字状部を前記バーナ本体から離隔させることを特徴とする。
請求項３に記載の発明は、請求項１又は２に記載の発明において、前記天板に、前記五徳を位置決めするための位置決め部を設け、その位置決め部の近傍で前記天板と前記こんろバーナとを連結したことを特徴とする。
【発明の効果】
【０００７】
本発明によれば、天板とこんろバーナとを、こんろバーナのバーナ本体を平面視で挟む位置を含んだ複数箇所で連結している。そのため、天板が製造に起因して撓んだり、調理時の熱に起因して歪んだりしたとしても、バーナ本体も同様に位置ずれを起こすことになる。したがって、たとえ天板に変形が生じたとしてもバーナ本体上にセットされるバーナヘッドと天板上に設置されている五徳の頂点との相対的な位置関係を維持することができ、熱効率や燃焼性の安定を図ることができる。
また、天板とこんろバーナとを、天板と連結するための天板連結部、及びこんろバーナに固定される固定部を有する金属製の連結部材を介して連結しているため、天板やこんろバーナに複雑な連結構造を設けることなく、両部材を容易に連結することができる。
さらに、連結部材を、天板と平行な面内でバーナ本体を跨ぐようなＵ字状に形成するとともに、該連結部材の周縁部を折り曲げ成形する一方、バーナ本体の外周に鍔状のフランジ部を形成し、該フランジ部に連結部材の固定部を固定可能な被固定部を設けている。したがって、調理時等におけるこんろバーナの燃焼により連結部材が加熱されたとしても、連結部材が熱変形しにくいし、バーナ本体を跨いだ位置で確実に連結することができる。
さらにまた、請求項２に記載の発明によれば、連結部材では、固定部をＵ字状部から突設した舌片に設けており、バーナ本体に固定した状態において、Ｕ字状部をバーナ本体から離隔させている。したがって、こんろバーナを燃焼させた際、Ｕ字状部に熱が伝わりにくく、Ｕ字状部の変形を防止することができ、ひいてはバーナヘッドと天板上に設置されている五徳の頂点との相対的な位置関係を一層確実に維持することができる。
加えて、請求項３に記載の発明によれば、天板に、五徳を位置決めするための位置決め部を設け、その位置決め部の近傍で天板とこんろバーナとを連結しているため、天板の歪みに伴うバーナ本体の位置ずれに五徳が追従しやすい。したがって、五徳の頂点とバーナヘッドとの距離の保持を一層効果的に実現することができる。
【図面の簡単な説明】
【０００８】
【図１】テーブルこんろを上方から示した説明図である。
【図２】五徳を取り外したテーブルこんろの開口周辺を拡大して示した説明図である。
【図３】テーブルこんろの器体を省略した斜視説明図である。
【図４】五徳を取り外したテーブルこんろの開口周辺を拡大して示した斜視説明図である。
【図５】テーブルこんろの五徳及び開口周辺部の断面を示した説明図である。
【図６】図示しない器体へ設置した状態にあるガスバーナ及びその設置機構をバーナ本体側から示した斜視説明図である。
【図７】図６と同状態にあるガスバーナ及びその設置機構を電極や熱電対側から示した斜視説明図である。
【図８】図６と同状態にあるガスバーナ及びその設置機構を上方から示した説明図である。
【図９】ガスバーナ及びその設置機構を分解して示した説明図である。
【図１０】ガスバーナ及びその設置機構を分解して示した説明図である。
【図１１】天板を載置した状態におけるガスバーナ周辺部の断面を示した説明図である。
【発明を実施するための形態】
【０００９】
以下、本発明の一実施形態となるテーブルこんろについて、図面にもとづき詳細に説明する。
【００１０】
図１は、テーブルこんろ１を上方から示した説明図であり、図２は、五徳２を取り外したテーブルこんろ１の開口４周辺を拡大して示した説明図である。図３は、テーブルこんろ１の器体を省略した斜視説明図であり、図４は、五徳２を取り外したテーブルこんろ１の開口４周辺を拡大して示した斜視説明図である。図５は、テーブルこんろ１の五徳２及び開口４周辺部の断面を示した説明図である。
【００１１】
テーブルこんろ１は、器体の天板３に一対の円形の開口４、４を形成し、各開口４の中央に夫々ガスバーナ５を露出した状態で配置するとともに、天板３上にそのガスバーナ５を囲むように金属製の五徳２を備えてなる。ガスバーナ５は、燃料ガスと一次空気とを吸入するスロート部が接続されて燃料ガスと一次空気とを混合する所謂混合気室２９（図６に示す）と、該混合気室２９が接続されたバーナ本体３０（図６に示す）と、そのバーナ本体３０上にセットされ、外周に多数の炎孔６、６・・が形成されたバーナヘッド７とからなる。また、バーナヘッド７の炎孔６の近傍には、点火用の電極８と火炎検出用の熱電対９とが設けられている。さらに、１０は、五徳２上に載置される調理鍋（調理容器）の底に当接して調理鍋の温度を検知するためのセンサであって、バーナ本体３０及びバーナヘッド７の中央を貫通するように設置されている。
【００１２】
そして、上記テーブルこんろ１によれば、器体前面に設けられた図示しない操作レバーを操作すると、一次空気と共に燃料ガスが混合気室２９を介してバーナ本体３０へ供給され、混合気となってバーナヘッド７の炎孔６、６・・から流出する。同時に、器体内に設けられた図示しないコントローラが電極８をスパークさせて混合気に点火し、バーナヘッド７の周囲に火炎を形成させる。よって、五徳２上に載置される調理鍋の底を加熱して調理可能となる。
【００１３】
ここで、まず五徳２及び開口４の周辺部について詳述する。尚、五徳２及び開口４は天板３の左右に１組ずつ備えられるが、どちらも同じ構成となっている。
開口４は、天板３に略円形に開設されており、天板３を器体に組み付けた際、開口４縁とバーナヘッド７を支持するバーナ本体３０の外周面との間には略３ｍｍ程度の隙間が生じるように形成されている。また、開口４縁には、開口４内側へ向けて上昇傾斜するように折り曲げられたテーパ部１１が設けられている。さらに、開口４縁から所定の距離だけ径方向外側へ離れた位置には、上方へ突出する凸条部１２が開口４を囲むように周設されている。さらに、開口４縁と凸条部１２との間には、後述する五徳リング２１を取り付けるための凹部と凸部とからなる複数の位置決め部１３、１３・・が設けられているとともに、各位置決め部１３の近傍に、天板３を後述する第２フレーム部材３４にネジ止めするためのネジ孔１４が穿設されている。
【００１４】
一方、五徳２は、天板３の開口４縁を覆う五徳リング２１と、該五徳リング２１上に立設され、調理鍋を載置可能な倒Ｕ字状の６つの五徳爪２２、２２・・とからなる。五徳リング２１は円環板状の部材であって、径方向での幅は天板３の開口４縁から凸条部１２までよりも長く形成されている。したがって、五徳２を天板３上へ設置した際、五徳リング２１の外周縁側は凸条部１２の上方を覆う一方、その内周縁側は開口４縁よりも開口４内側へ突出し、支持部材５１の外周面との間に１ｍｍ以内の隙間しか生じないようになっている。また、五徳リング２１の内周縁部は、径方向外側へ向けて下降傾斜するテーパ面２３として折り曲げ成形されている。さらに、五徳リング２１の下面には、位置決め部１３の凹部に係止可能な係止片２４ａと、位置決め部１３の凸部上に載置される突起２４ｂとを一体的に備えた複数の設置部が設けられている。
【００１５】
次に、本発明の要部となるガスバーナ５の器体への設置機構、及び電極８や熱電対９の設置機構について、図６〜図１０にもとづき詳述する。尚、以下では、図８における上下方向を各部材の前後方向とし、下方を前方側、上方を後方側として説明する。また、図６以降ではバーナヘッド７を省略しており、センサ１０についても図９以外では省略している。
図６は、図示しない器体へ設置した状態にあるガスバーナ５及びその設置機構をバーナ本体３０側から示した斜視説明図であり、図７は、同状態にあるガスバーナ５及びその設置機構を電極８や熱電対９側から示した斜視説明図である。図８は、図６と同状態にあるガスバーナ５及びその設置機構を上方から示した説明図である。図９及び図１０は、ガスバーナ５及びその設置機構を分解して示した説明図である。
【００１６】
ガスバーナ５及び電極８や熱電対９を夫々設置するための機構は、取付台３１、取付座３２、第１フレーム部材３３、及び第２フレーム部材３４の４つの金属製部材から構成されている。取付台３１は、ガスバーナ５のバーナ本体３０等を器体に固定するための部材である。該取付台３１は、周縁が上下に折り曲げられてなる金属製の帯状に形成されており、長手方向における一端に器体へ固定するための固定部３１ａを、他端に取付座３２等を取り付けるための設置部３１ｂを夫々備えている。そして、設置部３１ｂには、取付座３２をネジ止めするための第１固定孔３５、３５と、取付座３２を固定する際に位置決めするための位置決め孔３６とが穿設されている。
【００１７】
また、取付座３２は、第１フレーム部材３３や第２フレーム部材３４、バーナ本体３０を固定するための部材である。該取付座３２は、長手方向の両端が上方へ折り曲げられてなる金属製の板状に形成されており、各折り曲げ部の前側にはバーナ本体３０を固定するためのネジ孔を有するバーナ固定部３７が設けられている一方、各折り曲げ部の後側には第１フレーム部材３３が係合する第１係合孔３８、第２フレーム部材３４が係合する第２係合孔３９、第１フレーム部材３３及び第２フレーム部材３４をネジ止めするための第３固定孔４０を備えたフレーム固定部が設けられている。さらに、中央の凹部（載置部）は、バーナ本体３０を受け入れ可能な左右幅を有しており、該凹部には、自身を取付台３１へネジ止めするための第２固定孔４１、４１が設けられている。また、センサ１０を取り付けるための一対の係止爪４２、４２と、位置決め孔３６に係止する位置決め片４３、４３・・とが上方又は下方へ切り起こし状に設けられている。尚、右側のフレーム固定部では、手前から第３固定孔４０、第１係合孔３８、第２係合孔３９の順で形成している一方、左側のフレーム固定部では、手前から第１係合孔３８、第３固定孔４０、第２係合孔３９の順で形成している。
【００１８】
第１フレーム部材３３は、電極８及び熱電対９を設置するための部材である。該第１フレーム部材３３は、取付座３２の折り曲げ部間に架設され、バーナ本体３０の直径よりも長い金属製の帯状に形成されており、長手方向の両端部には、第１係合孔３８に係合する第１係合片４４、及び取付座３２へネジ止めするための第４固定孔４５が設けられている。さらに、左側の端部には、第２フレーム部材３４の第２係合片５０が貫通する貫通孔４６も設けられている。また、第１フレーム部材の中央部前縁には、電極８を設置するための電極設置部４７と、熱電対９を設置するための熱電対設置部４８とが左右に並設されている。各設置部４７、４８は共に、電極８や熱電対９を位置決めするための爪部を備えた位置決め部と、図示しないクリップ状の固定部材を掛止するための掛止部とからなり、該掛止部に掛止させた固定部材によって、爪部により位置決めされた電極８や熱電対９を固定するようになっている。また、各設置部４７、４８は、後述するように第１フレーム部材３３やバーナ本体３０等を取付座に固定した際、各設置部４７、４８に設置されている電極８や熱電対９のバーナヘッド７に対する位置が高精度に位置決めされるような箇所に設けられている。
【００１９】
第２フレーム部材３４は、ガスバーナ５のバーナ本体３０を固定するとともに、天板３とガスバーナ５とを連結するための部材である。該第２フレーム部材３４は、左右の幅が取付座３２の折り曲げ部間と同じ長さとなるＵ字状に湾曲形成された板状部材であって、長手方向の両端部の後縁には、更に後方へ延びるＬ字状の舌片５６、５６が下方へ延設されており、各舌片５６の先端部には、自身を取付座３２へネジ止めするための第５固定孔４９、及び第２係合孔３９に係合する第２係合片５０が設けられている。また、第２フレーム部材３４の長手方向の両端部で、下方へ折り曲げる手前となる位置には、天板３をネジ止め可能なネジ孔を有する天板連結部５１が夫々設けられている。さらに、各天板連結部５１よりも更に前方側の内側縁には、Ｕ字の内側方向へ折れ曲がるＬ字状の舌片５７、５７が対向状に垂設されており、各舌片５７の先端部には、バーナ本体３０をバーナ固定部３７へネジ止めするための第１バーナ固定孔５２が設けられている。加えて、第２フレーム部材３４の中央部にも一対の天板連結部５１、５１が設けられており、テーブルこんろ１の左右何れに配置されるかに応じて、いずれか一方の天板連結部５１が使用される。尚、第２フレーム部材３４の周縁部は下方へ折り曲げ成形されており、強度向上が図られている。
【００２０】
ガスバーナ５は、上述したように混合気室２９が接続されたバーナ本体３０と、バーナ本体３０上にセットされるバーナヘッド７とからなるもので、バーナ本体３０の外周には鍔状のフランジ部５３が形成されている。そして、該フランジ部５３であって、バーナ本体３０を挟んだ左右位置には、バーナ本体３０をバーナ固定部３７、３７へ固定するための第２バーナ固定孔５４、５４が設けられている。尚、バーナ本体３０を取付座３２の凹部上へ載置した際、フランジ部５３はバーナ固定部３７、３７上に重なり、第２バーナ固定孔５４とバーナ固定部３７のネジ孔とが上下で重合するようになっている。
【００２１】
ここで、上記取付台３１、取付座３２、第１フレーム部材３３、及び第２フレーム部材３４を利用したバーナ本体３０や電極８等の設置作業について説明する。
まず、取付台３１の固定部３１ａを器体の内面にネジ止め等によって固定する。次に、取付台３１の設置部３１ｂ上に取付座３２を載置し、ネジを第２固定孔４１から第１固定孔３５へ挿通させ、取付座３２を取付台３１へネジ止めし、取付台３１と取付座３２とを一体化する。このとき、取付座３２の位置決め片４３、４３・・を取付台３１の位置決め孔３６へ係止させれば、第１固定孔３５と第２固定孔４１との位置が上下で重合するようになっている。
【００２２】
さらに、該取付座３２の凹部上へ、センサ１０を係止爪４２、４２に係止させて設置するとともに、電極８及び熱電対９を図示しない電子基板等へ予め配線してから第１フレーム部材３３の各設置部４７、４８へ夫々設置した後、第１係合片４４、４４を取付座３２の第１係合孔３８、３８に係合させて、第１フレーム部材３３を組み付ける。また、センサ１０をバーナ本体３０の中央に貫通させるようにして取付座３２の凹部上へバーナ本体３０を載置する。加えて、第２フレーム部材３４の第２係合片５０、５０を取付座３２の第２係合孔３９、３９へ係合させ（左側の係合片５０については、第１フレーム部材３３の貫通孔４６を介して第２係合孔３９へ係合させ）、第２フレーム部材３４をバーナ本体３０の前方側に組み付ける。このとき、取付座３２の第３固定孔４０、第１フレーム部材３３の第４固定孔４５、及び第２フレーム部材３４の第５固定孔４９が上下で重合している。したがって、ネジを第３固定孔４０から第５固定孔４９まで挿通させて、取付座３２、第１フレーム部材３３、及び第２フレーム部材３４を一体化する。すると、第１フレーム部材３３の第４固定孔４５、４５同士を結ぶ直線に直交する平面方向で見ると、第４固定孔４５、４５間にバーナ本体３０が収納されるように、第１フレーム部材３３が取付座３２に固定され、このバーナ本体３０上にセットされるバーナヘッド７に対して電極８及び熱電対９が好適な位置に位置決めされる。
また、第２フレーム部材３４の第１バーナ固定孔５２、バーナ本体３０の第２バーナ固定孔５４、及びバーナ固定部３７のネジ孔も上下で重合している。したがって、ネジを第１固定孔から第２固定孔５４を介してバーナ固定部３７のネジ孔まで挿通させて、取付座３２、バーナ本体３０、及び第２フレーム部材３４を一体化する。すると、バーナ本体３０は、自身を挟んだ２箇所で第２フレーム３４及び取付座３２へ固定される。尚、該固定状態において、第２フレーム部材３４は、第１バーナ固定孔５２を有する舌片でのみバーナ本体３０と接触しており、Ｕ字状部についてはバーナ本体３０と離隔している。
以上のようにして、バーナ本体３０及び電極８、熱電対９が取付座３２に、ひいては器体内に設置されることになる。
【００２３】
加えて、テーブルこんろ１を完成させるためには、バーナ本体３０上にセットされるバーナヘッド７を開口４内に露出させた状態で、取付座３２や第１フレーム部材３３、第２フレーム部材３４の上方を覆うように天板３を組み付けなければならない。この天板３を組み付け際しては、図１１に示すように、開口４内にバーナ本体３０を位置させるとともに、天板３のネジ孔１４、１４・・と第２フレーム部材３４の天板連結部５１、５１・・のネジ孔とを上下で重合させる。そして、ネジ５５をネジ孔１４から天板連結部５１まで挿通させて、天板３と第２フレーム部材１４とを３箇所で一体化する。したがって、バーナ本体３０を平面視で挟む位置を含んだ複数箇所において、且つ、五徳２を位置決めするための位置決め部１３、１３・・の近傍において、天板３とガスバーナ５とが第２フレーム部材を介して連結される。
【００２４】
以上のような構成を有するテーブルこんろ１によれば、予め配線を済ませた電極８及び熱電対９が設置された第１フレーム部材３３と、器体内に固定した取付座３２に対してバーナ本体３０とを順次組み付けていけば、バーナ本体３０上にセットされるバーナヘッド７に対して精度良い位置に電極８及び熱電対９を設置することができる。したがって、従来の如く電極８や熱電対９が組み付けられたガスバーナ５を設置したり、ガスバーナ５の設置後に配線したりする必要がなく、設置作業や配線作業を非常に簡易に行うことができるし、電極８及び熱電対９のバーナヘッド７に対する位置決め作業についても非常に容易に行うことができる。
【００２５】
また、電極８及び熱電対９を設置する第１フレーム部材３３をバーナ本体３０よりも長く形成し、その両端に取付座３２への固定部（第１係合片４４や第４固定孔４５）を設けているとともに、中央に電極８及び熱電対９の設置部４７、４８を設けている。そして、第１フレーム部材３３の第４固定孔４５、４５同士を結ぶ直線に直交する平面方向で見ると、第４固定孔４５、４５間にバーナ本体３０が収納されるように、第１フレーム部材３３を取付座３２へ固定しているため、たとえ第４固定孔４５の位置が寸法誤差等によりずれていたとしても、電極８及び熱電対９の位置ずれは寸法誤差よりも小さくなり、ほとんど変化しない。したがって、電極８や熱電対９をガスバーナ５とは別個の部材に設置しているにもかかわらず、高い位置決め精度をもたせることができる。
【００２６】
さらに、電極８や熱電対９が設置される第１フレーム部材３３とバーナ本体３０が固定される第２フレーム部材３４とを同一箇所で取付座３２へネジ止めしている、すなわち第１フレーム部材３３を取付座３２へ固定する第４固定孔４５と、第２フレーム部材３４を取付座３２へ固定する第５固定孔４９とを上下で重合させて取付座３２へネジ止めするように構成している。したがって、取付座３２の寸法等に拘わらず、第１フレーム部材３３と第２フレーム部材３４との相対的な位置関係がずれにくく、電極８や熱電対９のバーナヘッド７に対する位置決め精度を一層向上することができる。
さらにまた、取付座３２の中央凹部上にバーナ本体３０を載置可能としている。したがって、バーナ本体３０や第１フレーム部材３３、第２フレーム部材３４を組み付けていく際にバーナ本体３０が安定するため、バーナ本体３０等の設置作業を一層容易に行うことができる。
【００２７】
また、取付座３２に第１係合孔３８、３８や第２係合孔３９、３９を設ける一方、第１フレーム部材３３に第１係合片４４、４４を、第２フレーム部材３４に第２係合片５０、５０を夫々設けており、第１フレーム部材３３及び第２フレーム部材３４を取付座３２に固定する際、各係合片を対応する係合孔へ係合させた後に両者をネジ止めするように構成している。したがって、ネジ止め前に第１フレーム部材３３や第２フレーム部材３４が取付座３２上から脱落したり位置ずれしたりしにくく、設置作業を極めて容易に行うことができる。
さらに、第１フレーム部材３３には貫通孔４６を設けており、第２フレーム部材３４の一方の第２係合片５０については、貫通孔４６を介して取付座３２の第２係合孔３９へ係合させるように構成しているため、第１フレーム部材３３と第２フレーム部材３４との相対的な位置関係が一層ずれにくい構成となっている。
加えて、取付座３２に調理鍋の温度を検知するセンサ１０を設置するための係止爪４２、４２を設けているため、バーナヘッド７に対するセンサ１０の位置も精度良く位置決めすることができる。
【００２８】
一方、天板３の設置に関しては、天板３とガスバーナ５とが第２フレーム部材３４を介し、バーナ本体３０を平面視で挟む位置を含んだ複数箇所においてネジ５５により連結される。したがって、天板３とガスバーナ５との相対的な位置決めを確実に行うことができる。また、製造時に天板３に撓みが生じたり、調理時におけるガスバーナ５の燃焼等に起因して天板３に歪みが生じたとしても、該撓みや歪みに応じてバーナ本体３０も微小に位置ずれ若しくは変形を起こすため、バーナ本体３０と天板３との相対的な位置関係を維持することができる。したがって、バーナ本体３０と天板３との間の距離、ひいては天板３上に載置される五徳２とバーナ本体３０上にセットされるバーナヘッド７との距離を一定に保つことができ、ガスバーナ５の燃焼性や調理鍋への熱伝達効率を向上することができる。さらに、第２フレーム部材３４を用いて天板３とバーナ本体３０とを連結することにより、天板３やバーナ本体３０自体に複雑な連結構造を設ける必要がなく、両者を容易に連結することができる。
【００２９】
また、第２フレーム部材３４として、天板と平行な面内でバーナ本体３０を跨ぐＵ字状に湾曲形成されているとともに、周縁が折り曲げられた金属製の板状部材を採用する一方、バーナ本体３０の外周に鍔状のフランジ部５３を形成し、該フランジ部５３に第２バーナ固定孔５４を形成している。そして、第２フレーム部材を、第１バーナ固定孔５２を有する舌片５７でのみバーナ本体３０と接触させ、Ｕ字状部についてはバーナ本体３０と離隔させた状態でバーナ本体３０と一体化している。そのため、第２フレーム部材が高い剛性を有している上、ガスバーナ５の燃焼時にＵ字状部へ熱が伝わりにくく、第２フレーム部材３４が変形してしまう事態を防止することができる。また、バーナ本体３０を挟んだ位置で第２フレーム部材３４とバーナ本体３０とを固定することができる。したがって、五徳２とバーナヘッド７との距離を一層確実に一定に保つことができ、ガスバーナ５の燃焼性や調理鍋への熱伝達効率を更に向上することができる。
さらに、天板３と第２フレーム部材３４とを連結するためのネジ孔１４を五徳２を載置する位置決め部１３の近傍に設けているため、天板３の歪みに伴うバーナ本体３０の変移等に五徳２が追従しやすい。したがって、五徳２とバーナヘッド７との距離の保持を一層効果的に実現することができる。
【００３０】
加えて、五徳２を設置した際に、五徳リング２１の内周縁が天板３の開口４縁よりも開口４内側へ突出し、五徳リング２１の内周縁とガスバーナ５との間に１ｍｍ以内の隙間しか生じないように構成しているため、該五徳リング２１の内周縁によって調理鍋から溢れた煮汁の器体内への浸入防止を図ることができる。したがって、従来と比べて、天板３の開口４をガスバーナ５に近接させる必要がないため、開口４を形成する際に精度を求められず、容易に製造することができ、歩留まりを向上することができる。また、従来ほど開口４をガスバーナ５に近接させないため、調理時等におけるガスバーナ５の燃焼時に熱の影響を受けにくく、天板３の開口４周辺部に歪み等が生じにくい。その上、たとえ歪み等が生じたとしても隙間があそびとなり、ガスバーナ５と天板３とが干渉したり、五徳２が載置できなくなるといった問題が生じないため、天板２を耐熱ガラス等により成形する必要がなく、コスト低減を図ることができる。
さらに、五徳２に関しても、五徳リング２１の内周縁をガスバーナ５の外周面に近接させるものの、従来の如くガスバーナ５の外周面に密接させるわけではないため、従来ほど成形精度を要求されない。加えて、五徳リング２１の内周縁をガスバーナ５に近接させているとは言え、五徳２と天板３とは係止爪２４ａと突起２４ｂとでしか接触していないため、熱が天板３に伝わりにくく、天板３の熱変形等を一層防止することができる。
【００３１】
なお、本発明のこんろに係る構成は、上記実施形態の態様に何ら限定されるものではなく、こんろ全体の構成やガスバーナの設置に係る構成、五徳、天板に係る構成等を、本発明の趣旨を逸脱しない範囲で必要に応じて適宜変更することができる。
【００３２】
たとえば、上記実施形態では、取付台３１と取付座３２とを別体成形しているが、両者を１つの部材としてもよい。
また、第２フレーム部材３４とガスバーナ５とについても、上記実施形態とは異なって両者を一体的に形成してもよい。すなわち、ガスバーナ５に天板連結部５１、５１・・を直接設けても、バーナヘッド７と天板３（五徳２）との距離の保持といった効果を十分に達成することができる。
さらに、各種係合爪や係合孔を何れの部材に設けるかといった事項やその位置、数、若しくは有無等についても適宜設計変更可能である。
加えて、上記実施形態ではこんろの一例であるテーブルこんろについて説明しているが、キッチンユニットに組み込まれるビルトインこんろ等の他のこんろに適用することも可能である。
【符号の説明】
【００３３】
１・・テーブルこんろ、２・・五徳、３・・天板、４・・開口、５・・ガスバーナ（こんろバーナ）、６・・炎孔、７・・バーナヘッド、８・・電極、９・・熱電対、１０・・センサ、１４・・ネジ孔（連結部）、３０・・バーナ本体、３１・・取付台、３２・・取付座、３３・・第１フレーム部材、３４・・第２フレーム部材（連結部材）、３５・・第１固定孔、３６・・位置決め孔、３７・・バーナ固定部、３８・・第１係合孔、３９・・第２係合孔、４０・・第３固定孔、４１・・第２固定孔、４２・・係止爪、４３・・位置決め片、４４・・第１係合片、４５・・第４固定孔（固定部）、４６・・貫通孔、４７・・電極設置部、４８・・熱電対検知部、４９・・第５固定孔、５０・・第２係合片、５１・・天板連結部、５２・・第１バーナ固定孔（固定部）、５３・・フランジ部、５４・・第２バーナ固定孔（被固定部）、５５・・ネジ、５６、５７・・舌片。
【図１】
0005234842.tif 000002
【図２】
0005234842.tif 000003
【図３】
0005234842.tif 000004
【図４】
0005234842.tif 000005
【図５】
0005234842.tif 000006
【図６】
0005234842.tif 000007
【図７】
0005234842.tif 000008
【図８】
0005234842.tif 000009
【図９】
0005234842.tif 000010
【図１０】
0005234842.tif 000011
【図１１】
0005234842.tif 000012